(57)【要約】【課題】ノズルの上下面および側面の汚れを除去しつつ、ノズルの前面の汚れも効果的に除去することができる衛生洗浄装置を提供する。【解決手段】便器の上に設けられるケーシングと、人体の局部に向けて水を吐出する第１吐水口を有し、前記ケーシングに対して前後方向に進退可能に設けられた洗浄ノズルと、前記洗浄ノズルを洗浄する洗浄部と、を備えた衛生洗浄装置であって、前記洗浄部は、前記洗浄ノズルに向けて水を吐出する、第２吐水口、第３吐水口、および第４吐水口を有し、前記第３吐水口は、前記第２吐水口よりも左側方に設けられ、前記第４吐水口は、前記第２吐水口よりも右側方に設けられ、前記第２吐水口の吐水角度は、前記第３吐水口および前記第４吐水口の吐水角度よりも後方側に傾けられている。【選択図】図１
2018028193.tif 000002
【特許請求の範囲】
【請求項１】
便器の上に設けられるケーシングと、
人体の局部に向けて水を吐出する第１吐水口を有し、前記ケーシングに対して前後方向に進退可能に設けられた洗浄ノズルと、
前記洗浄ノズルを洗浄する洗浄部と、
を備えた衛生洗浄装置であって、
前記洗浄部は、前記洗浄ノズルに向けて水を吐出する、第２吐水口、第３吐水口、および第４吐水口を有し、
前記第３吐水口は、前記第２吐水口よりも左側方に設けられ、
前記第４吐水口は、前記第２吐水口よりも右側方に設けられ、
前記第２吐水口の吐水角度は、前記第３吐水口および前記第４吐水口の吐水角度よりも後方側に傾けられた衛生洗浄装置。
【請求項２】
前記洗浄部は、前記第２吐水口から前記洗浄ノズルの前面に水を直接当てる請求項１記載の衛生洗浄装置。
【請求項３】
前記洗浄部は、前記洗浄ノズルの前端が前記ケーシングから出た状態で、前記第２吐水口から前記洗浄ノズルの前面に水を直接当てる請求項１記載の衛生洗浄装置。
【請求項４】
前記洗浄部は、前記洗浄ノズルが前記ケーシング内に後退する際に、前記第２吐水口から前記洗浄ノズルの前面に水を直接当てる請求項１〜３のいずれか１つに記載の衛生洗浄装置。
【請求項５】
前記洗浄ノズルの外周面と前面との間は湾曲している請求項１〜４のいずれか１つに記載の衛生洗浄装置。
【請求項６】
前記洗浄部は、前記第２吐水口から前記第１吐水口へ水を直接当てない請求項１〜５のいずれか１つに記載の衛生洗浄装置。
【発明の詳細な説明】
【技術分野】
【０００１】
本発明の態様は、一般的に、衛生洗浄装置に関する。
【背景技術】
【０００２】
特許文献１には、便座に着座した使用者の局部に向けて水を吐出するノズルと、ノズルの周囲からノズルに向けて水を吐出する洗浄部とを備え、ノズルに付着した汚れを、洗浄部から吐出した水で洗い流す衛生洗浄装置が開示されている。
【０００３】
また、特許文献２には、洗浄部から吐出される水の角度をノズルの進行方向に傾けることで、洗浄水の飛び散りを抑えつつ、ノズルの汚れを落とし易くする技術が開示されている。
【先行技術文献】
【特許文献】
【０００４】
【特許文献１】特開２０１０−１２７０５９号公報
【特許文献２】特開２０１３−７２２４０号公報
【発明の概要】
【発明が解決しようとする課題】
【０００５】
特許文献１の構成によれば、ノズルの上下面および側面に付着した汚れは効率的に除去されるものの、ノズルの前面に付着した汚れが除去され難い。
また、特許文献２に開示された技術によれば、ノズルの側面および下面の汚れは落ちやすくなるものの、洗浄部から吐出される水の角度をノズルの進行方向に傾けることで、ノズルの前面（先端面）の汚れが落ちにくくなる点で、未だ改善の余地がある。
【０００６】
本発明は、かかる課題の認識に基づいてなされたものであり、ノズルの上下面および側面の汚れを除去しつつ、ノズルの前面の汚れも効果的に除去することができる衛生洗浄装置を提供することを目的とする。
【課題を解決するための手段】
【０００７】
第１の発明は、便器の上に設けられるケーシングと、人体の局部に向けて水を吐出する第１吐水口を有し、前記ケーシングに対して前後方向に進退可能に設けられた洗浄ノズルと、前記洗浄ノズルを洗浄する洗浄部と、を備えた衛生洗浄装置であって、前記洗浄部は、前記洗浄ノズルに向けて水を吐出する、第２吐水口、第３吐水口、および第４吐水口を有し、前記第３吐水口は、前記第２吐水口よりも左側方に設けられ、前記第４吐水口は、前記第２吐水口よりも右側方に設けられ、前記第２吐水口の吐水角度は、前記第３吐水口および前記第４吐水口の吐水角度よりも後方側に傾けられた衛生洗浄装置である。
【０００８】
この衛生洗浄装置によれば、洗浄ノズルの上下面および側面の汚れを除去しつつ、洗浄ノズルの前面の汚れも効果的に除去することができる。
【０００９】
第２の発明は、第１の発明において、前記洗浄部は、前記第２吐水口から前記洗浄ノズルの前面に水を直接当てる衛生洗浄装置である。
【００１０】
この衛生洗浄装置によれば、洗浄ノズルの前面の汚れを効果的に除去することができる。
【００１１】
第３の発明は、第１の発明において、前記洗浄部は、前記洗浄ノズルの前端が前記ケーシングから出た状態で、前記第２吐水口から前記洗浄ノズルの前面に水を直接当てる衛生洗浄装置である。
【００１２】
この衛生洗浄装置によれば、洗浄ノズルの前面の汚れを効果的に除去することができる。
【００１３】
第４の発明は、第１〜第３のいずれかの発明において、前記洗浄部は、前記洗浄ノズルが前記ケーシング内に後退する際に、前記第２吐水口から前記洗浄ノズルの前面に水を直接当てる衛生洗浄装置である。
【００１４】
この衛生洗浄装置によれば、洗浄ノズルの外周面から前面に流れ、前面に再付着した汚れを効果的に除去することができ、洗浄ノズルをより清潔に保つことが可能となる。
【００１５】
第５の発明は、第１〜第４のいずれかの発明において、前記洗浄ノズルの外周面と前面との間は湾曲している衛生洗浄装置である。
【００１６】
この衛生洗浄装置によれば、洗浄ノズルの外周面を流れる水が前面に流れやすくなり、前面の汚れをより効果的に除去することができる。
【００１７】
第６の発明は、第１〜第５のいずれかの発明において、前記洗浄部は、前記第２吐水口から前記第１吐水口へ水を直接当てない衛生洗浄装置である。
【００１８】
この衛生洗浄装置によれば、第１吐水口に直接水を当てることによる水の飛散を抑制し、洗浄ノズルの汚れをより効果的に除去することができる。
【発明の効果】
【００１９】
本発明の態様によれば、ノズルの上下面および側面の汚れを除去しつつ、ノズルの前面の汚れも効果的に除去することができる衛生洗浄装置が提供される。
【図面の簡単な説明】
【００２０】
【図１】実施形態に係る衛生洗浄装置を備えたトイレ装置を表す斜視図である。
【図２】実施形態に係る衛生洗浄装置の一部を表す断面図である。
【図３】実施形態に係る衛生洗浄装置が備える洗浄部を表す背面図である。
【図４】実施形態に係る衛生洗浄装置が備える洗浄部の一部を表す側面図である。
【図５】実施形態に係る衛生洗浄装置における洗浄ノズルおよび洗浄部の動作を表す断面図である。
【図６】実施形態に係る衛生洗浄装置における洗浄ノズルおよび洗浄部の動作を表す断面図である。
【図７】洗浄部による洗浄ノズルの洗浄効果を説明するための図である。
【発明を実施するための形態】
【００２１】
以下、本発明の実施形態について図面を参照しつつ説明する。なお、各図面中、同様の構成要素には同一の符号を付して詳細な説明は適宜省略する。  
図１は、実施形態に係る衛生洗浄装置を備えたトイレ装置を表す斜視図である。
図１に表すように、トイレ装置は、洋式腰掛便器（以下、単に「便器」と称する）６と、その上に設けられた衛生洗浄装置１と、を備える。衛生洗浄装置１は、便座２と、便蓋３と、ケーシング４と、を有する。便座２と便蓋３とは、ケーシング４に対して開閉自在にそれぞれ軸支されている。
【００２２】
ケーシング４のシャッター４ａの裏側には、後述するノズルユニット１０が収納されている。ノズルユニット１０は、リモコンなどの操作部５により操作することができる。この他に、ケーシング４の内部には、例えば、トイレ室への使用者の入室を検知する入室検知センサや、便座２の前方にいる使用者を検知する人体検知センサ、便座２への使用者の着座を検知する着座検知センサなどが設けられる。また、ケーシング４の内部には、便座２を温める「便座ヒータ」や、便座２に座った使用者の「おしり」などに向けて温風を吹き付けて乾燥させる「温風乾燥機能」や、「脱臭ユニット」や「室内暖房ユニット」などが適宜設けられていてもよい。
【００２３】
次に、図２を参照しつつ、衛生洗浄装置１が備えるノズルユニット１０の構造について説明する。
図２は、実施形態に係る衛生洗浄装置の一部を表す断面図である。
【００２４】
図２に表すように、ノズルユニット１０は、洗浄ノズル１００と、ケーブルラック１３０と、駆動部１４０と、基台１５０と、洗浄部１６０と、を備える。
【００２５】
以下の実施形態の説明では、洗浄ノズル１００のボウル６ａに向けた進出方向を「前方」とし、これと反対の方向を「後方」とする。また、前後方向に対して垂直であり、水平方向に沿う２方向を「右側方」および「左側方」とし、前後方向および左右方向に対して垂直な２方向を「上方」および「下方」とする。
【００２６】
洗浄ノズル１００は、ノズルヘッド１１０およびシリンダ１２０を有する。ノズルヘッド１１０は、吐水口１１１および継手１１２を有する。継手１１２を介してノズルヘッド１１０に洗浄水が供給されると、吐水口１１１から洗浄水が吐出される。吐水口１１１から、「おしり」などに向けて水が吐出されることで、人体の局部洗浄が行われる。シリンダ１２０は、ノズルヘッド１１０の少なくとも一部を格納可能に構成されている。
【００２７】
洗浄ノズル１００は、基台１５０の上に設けられ、ノズルヘッド１１０およびシリンダ１２０は、基台１５０に対して摺動可能に設けられている。また、ノズルヘッド１１０は、シリンダ１２０に対して摺動可能に設けられている。
【００２８】
ケーブルラック１３０は、可撓性を有する材料で構成されている。ケーブルラック１３０の側面には、凹凸が形成されており、歯車１４２に係合されている。駆動部１４０は、基台１５０に固定され、例えばモータや歯車などを有する。駆動部１４０は、駆動出力を適宜減速させて歯車１４１および歯車１４２に出力可能である。駆動部１４０を駆動させることで、歯車１４１および１４２が回転し、その回転駆動力が、ケーブルラック１３０を介して直線方向の駆動力に変換される。
【００２９】
ケーブルラック１３０の一端は、洗浄ノズル１００のノズルヘッド１１０に固定されている。このため、駆動部１４０によってケーブルラック１３０が駆動されると、洗浄ノズル１００に力が加えられ、洗浄ノズル１００の進出および退出が行われる。
【００３０】
ノズルヘッド１１０の外壁の後端およびシリンダ１２０の内壁の前端には、不図示の係止片が設けられている。ノズルヘッド１１０が前方に向かって所定の距離を摺動すると、これらの係止片同士が係止し合い、ノズルヘッド１１０のシリンダ１２０に対する摺動が規制される。このため、駆動部１４０によってノズルヘッド１１０に加えられた力が、係合された係止片を通してシリンダ１２０に伝えられ、シリンダ１２０が摺動される。
【００３１】
洗浄部１６０は、ノズルユニット１０の前部に設けられている。洗浄部１６０は、洗浄ノズル１００がノズルユニット１０に収納されているときは、洗浄ノズル１００の前方に位置している。洗浄部１６０は、基台１５０に固定されたキャップ１６８に対して回動可能に設けられている。洗浄ノズル１００が前方に摺動する際は、洗浄ノズル１００によって洗浄部１６０が上方に押し上げられる。
【００３２】
次に、図３および図４を参照しつつ、洗浄部１６０について説明する。
図３は、実施形態に係る衛生洗浄装置の洗浄部を表す背面図である。
図４は、実施形態に係る衛生洗浄装置の洗浄部の一部を表す側面図である。
なお、図４は、洗浄部１６０が洗浄ノズル１００によって押し上げられ、洗浄部１６０から水が吐出されているときの様子を表している。また、図４（ａ）は、吐水口１６３〜１６６から水が吐出されたときの様子を表し、図４（ｂ）は、吐水口１６１および１６２から水が吐出されたときの様子を表している。
【００３３】
図３に表すように、洗浄部１６０は、吐水口１６１〜１６６および接続部１６７を有する。接続部１６７は、不図示のチューブ等に接続され、接続部１６７を介して洗浄部１６０内に水が供給される。吐水口１６１〜１６６は、洗浄部１６０の背面側に、略左右方向に並んで設けられている。
【００３４】
吐水口１６１および１６２は、洗浄部１６０の左右方向中央寄りに設けられている。吐水口１６３および１６４は、吐水口１６１および１６２よりも右側方に設けられ、吐水口１６５および１６６は、吐水口１６１および１６２よりも左側方に設けられている。洗浄ノズル１００によって洗浄部１６０が押し上げられた際、吐水口１６１および１６２は、洗浄ノズル１００の左右方向の略中央と対向する。吐水口１６３および１６４は、洗浄ノズル１００の右側方部分と対向し、吐水口１６５および１６６は、洗浄ノズル１００の左側方部分と対向する。
【００３５】
図４（ａ）および図４（ｂ）に表すように、吐水口１６１および１６２と、吐水口１６３〜１６６と、では、その吐水角度が異なる。具体的には、吐水口１６１および１６２は、吐水口１６３〜１６６よりも、吐水角度が後方側に傾けられている。
【００３６】
以下に、より具体的な一例を示す。吐水口１６１〜１６６は、洗浄部１６０の面Ｓ１に設けられている。吐水口１６３および１６５は、面Ｓ１の直交方向に対して、前方側に角度α傾斜した方向に吐水する。同様に、吐水口１６４および１６６は、面Ｓ１の直交方向に対して、前方側に角度β傾斜した方向に吐水する。角度αは、例えば、角度βと等しい。これに対して、吐水口１６１および１６２は、面Ｓ１の直交方向に対して、後方側に角度γ傾斜した方向に吐水する。
【００３７】
なお、この例に限らず、吐水口１６３〜１６６が面Ｓ１の直交方向に吐水し（すなわち、角度αおよびβが０）、吐水口１６１および１６２が、後方側に角度γ傾斜した方向に吐水してもよい。あるいは、吐水口１６１および１６２が面Ｓ１の直交方向に吐水し（すなわち、角度γが０）、吐水口１６３〜１６６が、前方側に角度αおよびβ傾斜した方向に吐水してもよい。すなわち、洗浄部１６０の左右方向中央側に設けられた吐水口１６１および１６２の吐水角度が、これらの吐水口よりも側方に設けられた吐水口１６３〜１６６の吐水角度よりも後方側に傾けられていれば、それぞれの吐水角度は適宜変更可能である。
【００３８】
次に、図５および図６を参照しつつ、洗浄ノズル１００の動作および洗浄部１６０による洗浄ノズル１００の洗浄動作について説明する。
図５および図６は、実施形態に係る衛生洗浄装置における洗浄ノズルおよび洗浄部の動作を表す側面図である。
【００３９】
洗浄ノズル１００は、使用されていない状態では、図５（ａ）に表すように、ケーシング４の中に収納されている。この状態では、洗浄ノズル１００の前方は、洗浄部１６０およびシャッター４ａにより覆われている。
【００４０】
洗浄ノズル１００によって局部洗浄が行われる場合、洗浄ノズル１００が前方に摺動する。洗浄ノズル１００が前方に摺動すると、図５（ｂ）に表すように、洗浄ノズル１００が洗浄部１６０に接触し、洗浄部１６０およびシャッター４ａが上方に押し上げられる。洗浄部１６０およびシャッター４ａが洗浄ノズル１００によって押し上げられ、洗浄ノズル１００の先端がキャップ１６８の先端よりも前方に進出すると、吐水口１６１〜１６６から吐水が開始される。このとき、例えば、吐水口１６１および１６２から洗浄ノズル１００の前面Ｓ２に対して、水が直接当てられる。
【００４１】
その後、洗浄ノズル１００は、吐水口１１１が所定の位置に到達するまで、図６（ａ）に表すように前方に摺動する。洗浄ノズル１００が所定の位置に到達すると、ノズルヘッド１１０の吐水口１１１から使用者の局部に向けて水が吐出され、洗浄が行われる。局部洗浄が完了すると、洗浄ノズル１００は、ケーシング４に向けて後方に摺動する。洗浄ノズル１００が進出している間および後退している間は、洗浄部１６０から洗浄ノズル１００に向けて水が吐出され、洗浄ノズル１００の洗浄が行われる。
【００４２】
洗浄ノズル１００が後退し、図６（ｂ）に表すように、ケーシング４内に収納される直前になると、再び、吐水口１６１および１６２から洗浄ノズル１００の前面Ｓ２に対して、水が直接当てられる。その後、吐水口１６１〜１６６による吐水が停止し、洗浄部１６０による洗浄ノズル１００の洗浄動作が終了する。その後、洗浄ノズル１００は、所定の位置まで後退し、図５（ａ）に表した状態のように、ケーシング４内に収納される。
【００４３】
次に、図７を参照しつつ、洗浄ノズル１００に対する洗浄効果について説明する。
図７（ａ）は、洗浄ノズルに対する洗浄効果を示すシミュレーション結果である。
図７（ｂ）および図７（ｃ）は、当該シミュレーションのパラメータを説明するための模式図である。
なお、図７（ａ）は、洗浄部１６０の吐水口１６１〜１６６から洗浄ノズル１００に対して、それぞれ同じ吐水角度で吐水が行われた場合のシミュレーション結果である。
【００４４】
図７（ａ）において、横軸は、洗浄ノズル１００に対する吐水角度θを表し、縦軸は、洗浄ノズル１００に付着した汚れの除去率を表している。図７（ａ）では、洗浄ノズル１００の、前面、上面、下面、右側面、および左下面において、角度θを変化させた場合の除去率の変化が表されている。
【００４５】
なお、角度θは、図７（ｂ）に表すように、洗浄ノズル１００の進出方向（前方）に対して吐水が行われる角度を表すものである。また、洗浄ノズル１００の各面は、図７（ｃ）の模式的正面図に表す通りである。すなわち、洗浄ノズル１００の前端の面を前面とし、洗浄ノズル１００の上下左右の曲面を、上面、下面、左側面、右側面のそれぞれの領域に分割して各面における除去率をシミュレーションしている。
【００４６】
図７（ａ）からわかるように、洗浄ノズル１００の上面は、角度θに拘らず、除去率が非常に高い。これは、洗浄部１６０との距離が近く、かつ吐水口１６１〜１６６から直接吐水されるためである。右側面、左側面、および下面は、角度θが小さくなるに連れて除去率が向上している。これは、θが小さくなるほど、水が洗浄ノズル１００の表面に沿って流れやすくなるためである。すなわち、洗浄ノズル１００の表面を流れる水の距離が長くなることで、表面の汚れが落ちやすくなるためである。
【００４７】
一方で、前面については、角度θが小さくなるに連れて除去率が低下している。これは、以下の理由による。上面に吐水された水は、右側面または左側面を流れ、下面から流れ落ち、前面にはあまり流れない。前面に付着した汚れは、主に、ケーシング４から進出する際およびケーシング４への収納が完了する際に、水が洗浄ノズル１００先端付近に吐水され、上面から前面に水が流れたり、前面に直接水が当たられたりすることで除去される。角度θが小さくなると、前面に水が当たり難くなり、前面を流れる水も減少するために、前面に対する除去率が低下する。
【００４８】
この点について、本実施形態では、左右方向において洗浄ノズル１００の中央側に吐水する吐水口１６１および１６２の吐水角度を、洗浄ノズル１００の左右に吐水する吐水口１６３〜１６６の吐水角度よりも後方に傾けている。すなわち、洗浄ノズル１００の中央側への吐水については、角度θを大きくし、洗浄ノズル１００の左右への吐水については、角度θを小さくしている。
【００４９】
このような構成によれば、吐水口１６１および１６２によって前面に対する除去率を高めつつ、吐水口１６３〜１６６によって右側面、左側面、および下面に対する除去率を高めることが可能となる。従って、本実施形態に係る衛生洗浄装置によれば、洗浄ノズルを効果的に洗浄し、より清潔に保つことが可能となる。
【００５０】
なお、図７（ａ）に表す結果からは、吐水口１６３〜１６６の吐水角度を、吐水口１６１および１６２の吐水角度よりも後方側に傾けることも考えられる。しかし、吐水口１６３〜１６６から吐出された水は、前面の左右方向中央に当たりにくいため、前面の汚れが十分に除去されず、除去率が低下する。従って、吐水口１６１および１６２の吐水角度を、吐水口１６３〜１６６の吐水角度よりも後方側に傾けることで、吐水口１６３〜１６６の吐水角度を、吐水口１６１および１６２の吐水角度よりも後方側に傾けた場合に比べて、洗浄ノズル１００の洗浄効果をより高めることができる。
【００５１】
また、洗浄動作の一部において、洗浄ノズル１００の前面には、吐水口１６１および１６２から水が直接当てられることが望ましい。吐水角度が後方側に傾けられた吐水口１６１および１６２から、前面に対して水が直接当てられることで、前面に対する汚れの除去率をさらに高めることが可能となる。
【００５２】
洗浄ノズル１００の前面に対して水を直接当てるタイミングとしては、図５（ｂ）および図６（ｂ）に表すように、洗浄ノズル１００がケーシング４から進出するとき、および洗浄ノズル１００がケーシング４内に後退するときが考えられる。
【００５３】
洗浄ノズル１００がケーシング４から進出するときに前面に水を直接当てる場合、図５（ｂ）に表すように、洗浄ノズル１００の前端がケーシング４から出た状態で行うことが望ましい。洗浄ノズル１００の前端がケーシング４から出た状態で洗浄部１６０から水を吐出することで、洗浄部１６０から吐水された水が、ノズルユニット１０の中に入ったり、ノズルユニット１０とケーシング４との隙間に入り込んだりすることを抑制できる。
なお、洗浄ノズル１００の先端がケーシング４から出た状態とは、図５（ｂ）に表すように、洗浄ノズル１００によって洗浄部１６０およびシャッター４ａが押し上げられ、洗浄ノズル１００の先端がキャップ１６８よりも前方に進出した状態を意味している。
【００５４】
洗浄ノズル１００がケーシング４から進出した後は、洗浄ノズル１００がケーシング４の中に後退するまで、洗浄部１６０によって洗浄が継続的に行われる。洗浄ノズル１００に向けて吐出された水は、除去された汚れとともに洗浄ノズル１００の表面を流れる。このとき、水の一部が洗浄ノズル１００の前面に流れ、上面から流れた汚れが前面に再付着する場合がある。
この点について、洗浄ノズル１００がケーシング４内に後退する際に、洗浄ノズル１００の前面に直接水を当てることで、洗浄ノズル１００の外周面から前面に流れ、前面に再付着した汚れを除去することができ、洗浄ノズル１００をより清潔に保つことが可能となる。
なお、洗浄ノズル１００の外周面とは、洗浄ノズル１００の前面以外の、上面、下面、右側面、および左側面を意味している。
【００５５】
また、例えば図６（ａ）に表されるように、洗浄ノズル１００（ノズルヘッド１１０）の外周面と前面との間は、角ばっておらず、滑らかに湾曲していることが望ましい。外周面と前面との間を湾曲させることで、外周面を流れる水が前面にも流れやすくなり、前面の汚れをより効果的に除去することができる。
【００５６】
なお、上述した実施形態では、洗浄部１６０に６つの吐水口が設けられた例を挙げたが、本実施形態はこれに限定されない。洗浄部１６０には、洗浄ノズル１００の左側に水を当てる吐水口、洗浄ノズル１００の右側に水を当てる吐水口、およびこれらの吐水口よりも洗浄ノズル１００の左右方向中央側に水を当てる吐水口の少なくとも３つの吐水口が設けられていればよい。これら３つの吐水口のうち、洗浄ノズル１００の中央側に水を当てる吐水口の吐水角度を、左右に水を当てる吐水口の吐水角度よりも後方側に傾けることで、洗浄ノズル１００の汚れを効果的に除去することができる。
【００５７】
ただし、洗浄ノズル１００の左右方向中央側に吐出された水は、吐水口１１１に直接当たらないことが望ましい。吐水口１１１に水が直接当たると、吐水口１１１で水が飛散するとともに、汚れの除去率も低下するためである。このため、汚れを効果的に除去するためには、図３に表したように、洗浄部１６０の左右方向中央側に、互いに離間させて複数の吐水口１６１および１６２を形成し、吐水口１１１に水が直接当たらないように構成することが望ましい。
【００５８】
また、上述した実施形態では、洗浄ノズル１００がノズルヘッド１１０とシリンダ１２０を有し、これらの部材によって２段階の進退動作が行われる場合について説明したが、洗浄ノズル１００は、ノズルヘッド１１０のみを有するものであってもよい。あるいは、洗浄ノズル１００が、ノズルヘッド１１０およびシリンダ１２０以外に、基台１５０に対して摺動可能に構成された他のシリンダをさらに備えていてもよい。また、洗浄ノズル１００は、例えば左右方向並べられた複数のノズルヘッド１１０を備えていてもよい。この場合、例えば、各ノズルヘッド１１０に対して上述した洗浄部１６０が設けられる。
【００５９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ノズルユニット１０の洗浄ノズル１００などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６０】
１ 衛生洗浄装置、  ２ 便座、  ３ 便蓋、  ４ ケーシング、  ４ａ シャッター、  ５ 操作部、  ６ 便器、  ６ａ ボウル、  １０ ノズルユニット、  １００ 洗浄ノズル、  １１０ ノズルヘッド、  １１１ 吐水口、  １１２ 継手、  １２０ シリンダ、  １３０ ケーブルラック、  １４０ 駆動部、  １４１、１４２ 歯車、  １５０ 基台、  １６０ 洗浄部、  １６１〜１６６ 吐水口、  １６７ 接続部、  １６８ キャップ、  Ｓ１ 面、  Ｓ２ 前面
【図１】
2018028193.tif 000003
【図２】
2018028193.tif 000004
【図３】
2018028193.tif 000005
【図４】
2018028193.tif 000006
【図５】
2018028193.tif 000007
【図６】
2018028193.tif 000008
【図７】
2018028193.tif 000009